(57)【特許請求の範囲】
【請求項１】
一側を開放部とした方形筒状に形成されて、ＦＯＴに対して前記開放部から外嵌挿入して組付けられる金属製のシールドケースであって、
前記シールドケースは、その開放部と相対する閉止端をケース胴部の周壁の少なくとも１つの側壁の端縁に延設されて、該延設の根元となる基部から略直角に折り曲げた折曲片で構成し、
前記ケース胴部の周壁の他の側壁の端縁に、前記折曲片の自由端部を拘束する押え部が設けられ、
前記ケース胴部の周壁の前記折曲片を備えた側壁は、その周方向中央部で２分割してそれぞれ前記折曲片を備えた側壁要素として構成され、
前記側壁要素の双方の周方向端縁に略同一長さの袖片を延設して、前記袖片をケース内方向に略直角に折り曲げて重ね合わせることで隔壁を構成する
ことを特徴とするＦＯＴのシールドケース。
【請求項２】
前記押え部は、前記ケース胴部の周壁の他の側壁の端縁に延設されて、該延設の根元となる基部から前記閉止端を構成する折曲片の自由端部上に亘って略直角に折り曲げて重ね合わされた押え片で構成されている
ことを特徴とする請求項１に記載のＦＯＴのシールドケース。
【請求項３】
前記押え片は、前記折曲片の延設幅よりも短い延設幅に設定されている
ことを特徴とする請求項２に記載のＦＯＴのシールドケース。
【発明の詳細な説明】
【技術分野】
【０００１】
本発明は、光通信に用いられるＦＯＴ（Fiber Optic Transceiver）のシールドケースに関する。
【背景技術】
【０００２】
光通信に用いられるＦＯＴは、その周辺にある電気機器などから発生する電磁波などの電磁ノイズによって、動作が阻害されないように電磁ノイズ遮断用の金属製のシールドケースに収納するようにしている（特許文献１参照）。
【先行技術文献】
【特許文献】
【０００３】
【特許文献１】特開２００５−２６６１３０号公報
【発明の概要】
【発明が解決しようとする課題】
【０００４】
上述のシールドケースは、方形の扁平ブロック状に形成したＦＯＴを収納可能なように一側を開放部とした方形の筒状に形成されており、この開放部からＦＯＴに対して外嵌挿入して組付けるようにしている。
【０００５】
このシールドケースは、ケース素材を順次折り曲げて構成されている。詳細にケース素材は、シールドケースの胴部に相当する周壁が一方向につながるような展開形状となっており、この一方向と直交する方向に延びる折曲片（開放部と反対側の閉止端となる片）が付加されたものとなっている。このようなケース素材は、金属プレートから打ち抜き加工により形成される。
【０００６】
ところが、シールドケースの閉止端を構成する折曲片がスプリングバックしてその自由端部が浮き上がる傾向にあり、この折曲片の浮き上がりにより万一閉止端に隙間が発生すると、この隙間から外部電磁ノイズがケース内に侵入してＦＯＴの電磁的耐性が損なわれる可能性がある。
【０００７】
そこで、本発明はシールドケースの閉止端を構成する折曲片の浮き上がりによる隙間の発生を防止して、ＦＯＴの電磁的耐性を高めることができるシールドケースを提供するものである。
【課題を解決するための手段】
【０００８】
本発明に係るＦＯＴのシールドケースは、一側を開放部とした方形筒状に形成されて、ＦＯＴに対して前記開放部から外嵌挿入して組付けられる金属製のシールドケースであって、前記シールドケースは、その開放部と相対する閉止端をケース胴部の周壁の少なくとも１つの側壁の端縁に延設されて、該延設の根元となる基部から略直角に折り曲げた折曲片で構成し、前記ケース胴部の周壁の他の側壁の端縁に、前記折曲片の自由端部を拘束する押え部が設けられ、前記ケース胴部の周壁の前記折曲片を備えた側壁は、その周方向中央部で２分割してそれぞれ前記折曲片を備えた側壁要素として構成され、前記側壁要素の双方の周方向端縁に略同一長さの袖片を延設して、前記袖片をケース内方向に略直角に折り曲げて重ね合わせることで隔壁を構成することを特徴とする。
【０００９】
本発明に係るＦＯＴのシールドケースによれば、折曲片の自由端部が押え部により拘束されてスプリングバックによる浮き上がりが抑制され、シールドケースの閉止端に隙間が発生するのを防止することができて、ＦＯＴの電磁的耐性を良好に維持することができる。さらに、受光側と発光側の２つの独立したＦＯＴを１つのシールドケースに収納して並設する場合に、隔壁によりそれぞれのＦＯＴの受・発光信号の相互干渉を回避することができて信頼性を高めることができる。しかも、２分割した側壁要素に延設した袖片で隔壁を構成できるため設計が容易で、特にシールドケースを１枚の金属プレートをもって所要の展開形状のケース素材として打ち抜き成形して構成する場合に有効である。
【００１０】
また、本発明に係るＦＯＴのシールドケースにおいて、前記押え部は、前記ケース胴部の周壁の他の側壁の端縁に延設されて、該延設の根元となる基部から前記閉止端を構成する折曲片の自由端部上に亘って略直角に折り曲げて重ね合わされた押え片で構成されていることが好ましい。
【００１１】
このＦＯＴのシールドケースによれば、押え部がケース胴部の周壁の他の側壁の端縁に延設されているため、押え部をシールドケースの他の部位と一体化でき、別部材からなる専用の押え部を不要としてコスト的に有利とすることができる。また、押え部は、折曲片の自由端部上に亘って略直角に折り曲げて重ね合わされた押え片で構成されるため、自由端に亘って押え機能を発揮できると共に、自由端側のケース隙間を塞ぐこととなりシールド機能の向上を図ることができる。
【００１２】
また、本発明に係るＦＯＴのシールドケースにおいて、前記押え片は、前記折曲片の延設幅よりも短い延設幅に設定されていることが好ましい。
【００１３】
このＦＯＴのシールドケースによれば、シールドケースを１枚の金属プレートをもって所要の展開形状のケース素材として打ち抜き成形して構成する場合に、金属プレートの折曲片を打ち抜く側部の面積内で該折曲片と共に押え片を打ち抜き成形できるため、金属プレートの拡幅を伴うことがなく製造コストを抑えることができる。
【発明の効果】
【００１６】
本発明によれば、折曲片の自由端部が押え部により拘束されてスプリングバックによる浮き上がりが抑制され、シールドケースの閉止端に隙間が発生するのを防止することができて、ＦＯＴの電磁的耐性を良好に維持することができる。
【図面の簡単な説明】
【００１７】
【図１】本発明の実施形態に係るＦＯＴとそのシールドケースの第１実施形態を分解して示す斜視図である。
【図２】図１に示すシールドケースの展開説明図である。
【図３】シールドケースの第２実施形態を示す斜視図である。
【図４】図３のＡ−Ａ線に沿う断面図である。
【図５】図３に示すシールドケースの展開説明図である。
【発明を実施するための形態】
【００１８】
以下、本発明を好適な実施形態に沿って説明するが、本発明は以下に示す実施形態に限られるものではなく、本発明の趣旨を逸脱しない範囲において適宜変更可能である。
【００１９】
図１は、本発明の実施形態に係るＦＯＴとそのシールドケースの第１実施形態を分解して示す斜視図である。図２は、図１に示すシールドケースの展開平面図である。図１に示す第１実施形態のＦＯＴ１は、発光側と受光側とにそれぞれ独立して構成されている。
【００２０】
発光側，受光側の各ＦＯＴ１は、方形の扁平ブロック状に形成した樹脂製のパッケージ２を主体として、その相対する一対の端部にリードフレームを構成する複数本のリードピン３とアース用の導電金属プレートの耳片４とを外方に突出させた状態で一体にモールド成形している。
【００２１】
パッケージ２の前面側には図外の光ファイバが接続される導光部材の光軸上に透光孔５が開設されている。また、該パッケージ２には発光素子又は受光素子が搭載されたサブ回路基板が内蔵されており、サブ回路基板上の受光素子又は発光素子が透光孔５を通して光信号を受発光するようになっている。
【００２２】
図１に示す例では、ＦＯＴ１を図外のメイン回路基板上に電磁ノイズ遮断用の金属製のシールドケース６と共に直立して実装する仕様としている。このため、パッケージ２の下端部に上述のリードピン３を下方に突出して配置してこれをメイン回路基板上に半田付けするようにしている。一方、ＦＯＴ１は、パッケージ２の上端部の長さ方向両側部に離間して上述の一対の耳片４を上方に突出して配置した構成となっている。耳片４は、製造上の関係から、パッケージ２の上端面から上方に突出する。
【００２３】
一方、シールドケース６は下側が開放した方形の筒状に形成されている。また、このシールドケース６は、ＦＯＴ１に対してパッケージ２の耳片４を突出配置した上端部側から外嵌挿入される。これにより、ＦＯＴ１をシールドケース６内に収納して全体的に被覆し、周辺で発生する外部電磁ノイズを遮断するようにしている。
【００２４】
なお、シールドケース６の前面には、ＦＯＴ１の透光孔５に対応した透光孔７が開設され、下側の開放部周縁にはメイン回路基板に対する固定を兼ねた複数のアース用の脚部８を設けてある。
【００２５】
また、図１及び図２に示すように、シールドケース６の下側の開放部と相対する上側の閉止端１０は、ケース胴部の周壁１１の少なくとも１つの側壁１１ａの端縁に延設されて、該延設基部から略直角に折り曲げた折曲片１２で構成している。
【００２６】
一方、ケース胴部の周壁１１の他の側壁１１ｂの端縁には、前記折曲片１２の自由端部を拘束する押え部１３が設けられている。
【００２７】
本実施形態において、上述の折曲片１２はケース胴部の周壁１１の前側壁１１ａの上端縁に延設されている。一方、押え部１３は、後側壁１１ｂの上端縁に延設されている。このため、押え部１３は、該延設基部から前記折曲片１２の自由端部上に亘って略直角に折り曲げて重ね合わされた押え片１４で構成されていることとなる。
【００２８】
この押え片１４の延設幅Ｗ２は、折曲片１２の延設幅Ｗ１よりも短く（Ｗ１＞Ｗ２）設定されている（図２参照）。
【００２９】
このようなシールドケース６は、１枚の帯状の金属プレート２０から打ち抜き加工によって形成されたケース素材２１を順次折り曲げることによって構成される。このようなケース素材２１は、ケース胴部の周壁１１である前側壁１１ａ、後側壁１１ｂ、左右の側壁１１ｃ、１１ｄが一方向に展開された形状となっており、これにケース閉止端１０となる折曲片１２と押え片１４等が付加された形状となっている。そして、このケース素材２１から前記周壁１１と折曲片１２及び押え片１４とを順次ロール加工等によって図２に一点鎖線で示す区分位置から略直角に折り曲げて、一側を開放部とした方形筒状に形成することができる。
【００３０】
図２に示す例では、ケース胴部の周壁１１の後側壁１１ｂに板ばね片１５を切り起こし成形し、シールドケース６をＦＯＴ１に外嵌挿入して組付けた際にこの板ばね片１５により前述のパッケージ２の背面を透光孔５側へ押し付けて保持するようにしている。
【００３１】
このようにして、本実施形態に係るＦＯＴ１のシールドケース６によれば、前側壁１１ａの折曲片１２の自由端部が押え部１３により拘束されてスプリングバックによる浮き上がりが抑制される。従って、シールドケース６の閉止端１０に隙間が発生するのを防止することができて、ＦＯＴ１の電磁的耐性を良好に維持することができる。
【００３２】
また、押え部１３がケース胴部の周壁１１の他の側壁１１ｂの端縁に延設されているため、押え部１３をシールドケース６の他の部位１０，１１と一体化でき、別部材からなる専用の押え部を不要としてコスト的に有利とすることができる。また、押え部１３は、折曲片１２の自由端部上に亘って略直角に折り曲げて重ね合わされた押え片１４で構成されるため、自由端に亘って押え機能を発揮できると共に、自由端側のケース隙間を塞ぐこととなりシールド機能の向上を図ることができる。
【００３３】
また、押え片１４は、折曲片１２の延設幅Ｗ１よりも短い延設幅Ｗ２に設定されているため、シールドケース６を１枚の金属プレートをもって所要の展開形状のケース素材２１として打ち抜き成形して構成する場合に、金属プレート２０の折曲片１２を打ち抜く側部の面積内で該折曲片１２と共に押え片１４を打ち抜き成形できるため、金属プレートの拡幅を伴うことがなく製造コストを抑えることができる。
【００３４】
次に、本発明の第２実施形態を説明する。第２実施形態に係るシールドケースは、第１実施形態のものと同様であるが、構成が一部異なっている。以下、第１実施形態との相違点を説明する。
【００３５】
図３は、シールドケースの第２実施形態を示す斜視図であり、図４は、図３のＡ−Ａ線に沿う断面図である。また、図５は、図３に示すシールドケースの展開説明図である。
【００３６】
まず、第１実施形態においてシールドケース６は、受光側と発光側のＦＯＴ１のそれぞれを収納する独立した構成となっていた。これに対して、第２実施形態に係るシールドケース６Ａは、図３〜図５に示すように、１つのシールドケース６Ａにこれら受・発光側の２つのＦＯＴ１を収納する横長構造とされている。
【００３７】
このため、第２実施形態のシールドケース６Ａではケース胴部の周壁１１の２つの前側壁１１ａに、受・発光側の２つのＦＯＴ１の透光孔５、５に対応する２つの透光孔７、７が設けられている。
【００３８】
また、特に本実施形態ではこの前側壁１１ａを長さ方向（周壁１１の周方向）中央部で２分割してそれぞれ上端縁に折曲片１２を備えた２つの側壁要素１１ａ１、１１ａ２として構成し、それらの分割端縁（周方向端縁）のそれぞれに袖片１６を延設している（図５参照）。そして、これら２つの袖片１６をケース内方向に略直角に折り曲げて背合わせ状に重ね合わせて、受・発光側の２つのＦＯＴ１の収納部を区画する隔壁１７を構成している（図４参照）。
【００３９】
このようにして、第２実施形態に係るシールドケース６Ａによれば、第１実施形態と同様に、ＦＯＴ１の電磁的耐性を良好に維持することができる。また、別部材からなる専用の押え部を不要としてコスト的に有利とすることができ、自由端側のケース隙間を塞ぐこととなりシールド機能の向上を図ることができる。さらに、金属プレートの拡幅を伴うことがなく製造コストを抑えることができる。
【００４０】
加えて、第２実施形態によれば、受光側と発光側の２つの独立したＦＯＴ１を１つのシールドケース６Ａに収納して並設する場合に、隔壁１７によりそれぞれのＦＯＴ１の受・発光信号の相互干渉を回避することができて信頼性を高めることができる。しかも、２分割した側壁要素に延設した袖片１６で隔壁１７を構成できるため設計が容易で、特にシールドケース６Ａを１枚の金属プレート２０をもって所要の展開形状のケース素材２１として打ち抜き成形して構成する場合に有効である。
【００４１】
以上、実施形態に基づき本発明を説明したが、本発明は上記実施形態に限られるものではなく、本発明の趣旨を逸脱しない範囲で、変更を加えてもよいし、可能な範囲で各実施形態に記載の技術を組み合わせてもよい。
【００４２】
例えば、上記実施形態において折曲片１２を前側壁１１ａの上端縁に、及び押え片１４を後側壁１１ｂの上端縁に延設した例を説明したが、これに限らず、前側壁１１ａ及び後側壁１１ｂ以外にそれぞれが延設されていてもよい。加えて、折曲片１２は、複数の側壁１１から延設されてもよいし、押え部１３についても複数の側壁１１から延設されてもよい。一例を挙げると、折曲片１２を前側壁１１ａの上端縁と左右の側壁１１ｃ，１１ｄの上端縁に延設してこれらで閉止端１０を構成し、後側壁１１ｂの上端縁に延設した１つの押え片１４で３つの折曲片１２の自由端部を同時に拘束するようにしてもよい。さらには、押え部１３は、別体の素材により構成してもよい。
【００４３】
また、第２実施形態において、袖片１６は２つ設けられているが、これに限らず、１つであってもよい。さらに、上記実施形態において、ＦＯＴ１は、受光側と発光側とでそれぞれ独立したタイプのものを示しているが、これに限らず、受・発光部併設タイプとして構成したものに適用することも可能である。
【符号の説明】
【００４４】
１…ＦＯＴ
２…パッケージ
３…リードピン
５…透光孔
６、６Ａ…シールドケース
７…透光孔
８…アース用の脚部
１０…閉止端
１１…ケース胴部の周壁
１１ａ…前側壁（１つの側壁）
１１ａ１、１１ａ２…分割した側壁要素
１１ｂ…後側壁（他の側壁）
１２…折曲片
１３…押え部
１４…押え片
１６…袖片
１７…隔壁
２０…金属プレート
２１…ケース素材
Ｗ１…折曲片の延設幅
Ｗ２…押え片の延設幅
【図１】
0006576692.tif 000002
【図２】
0006576692.tif 000003
【図３】
0006576692.tif 000004
【図４】
0006576692.tif 000005
【図５】
0006576692.tif 000006